(57)【要約】【課題】１つのチューナのみを備える状態であっても、デジタル放送を聴取しつつ、選局可能な放送局の探索ができる「放送受信装置」を提供することである。【解決手段】放送局から伝送されるアナログ放送信号を出力するアナログ放送信号出力手段と、放送局から伝送されるデジタル放送信号を復調し出力するデジタル放送信号出力手段と、前記アナログ放送信号に対応する前記デジタル放送信号の復調が完了したときに、前記アナログ放送信号の出力を当該アナログ放送信号に対応する前記復調されたデジタル放送信号の出力に切り替える第１出力切替手段と、前記第１出力切替制御手段による前記アナログ放送信号の出力を前記復調したデジタル放送信号の出力に切り替えた際に、当該デジタル放送信号を放送する周波数以外の周波数にて選局可能な放送局を探索する放送局探索制御手段とを有する構成となる。【選択図】図３
2014131097.tif 000002
【特許請求の範囲】
【請求項１】
放送局から同一周波数にて伝送されるアナログ放送及びデジタル放送を受信する放送受信装置であって、
前記放送局から伝送される前記アナログ放送のアナログ放送信号を出力するアナログ放送信号出力手段と、
前記放送局から伝送される前記デジタル放送のデジタル放送信号を復調し出力するデジタル放送信号出力手段と、
前記アナログ放送信号に対応する前記デジタル放送信号の復調が完了したときに、前記アナログ放送信号出力手段による前記アナログ放送信号の出力を前記デジタル放送信号出力手段による当該アナログ放送信号に対応する前記復調されたデジタル放送信号の出力に切り替える第１出力切替手段と、
前記第１出力切替制御手段による前記アナログ放送信号の出力を前記復調したデジタル放送信号の出力に切り替えた際に、当該デジタル放送信号を放送する周波数以外の周波数にて選局可能な放送局を探索する放送局探索制御手段とを有する放送受信装置。
【請求項２】
前記デジタル放送信号出力手段は、前記復調後の前記デジタル放送信号を記憶する一時記憶手段を有し、
前記一時記憶手段に記憶された前記復調後のデジタル放送信号の記憶量が所定量以下であるか否かを判定するデジタル放送信号記憶量判定手段と、
前記デジタル放送信号記憶量判定手段により、前記一時記憶された前記復調後のデジタル放送信号の記録量が所定量以下であると判定されたときに、前記放送局探索制御手段による前記選局可能な放送局の探索を停止させる停止制御手段とを有する請求項１に記載の放送受信装置。
【請求項３】
前記停止制御手段により、前記選局可能な放送局の探索を停止させられた後、前記デジタル放送信号出力手段による前記復調後のデジタル放送信号の出力を前記アナログ放送信号出力手段による当該デジタル放送信号に対応する前記アナログ放送信号の出力に切り替える第２出力切替制御手段を有する請求項２に記載の放送受信装置。
【請求項４】
前記選局可能な放送局から同一周波数にて伝送されるアナログ放送信号及びデジタル放送信号の少なくとも一方の受信感度が所定の受信感度以下であるか否かを判定する受信感度判定手段を有し、
前記第１切替制御手段は、前記受信感度判定手段により前記アナログ放送信号及び前記デジタル放送信号の少なくとも一方の受信感度が所定の受信感度以下であると判定されたときに、前記アナログ放送信号出力手段による前記アナログ放送信号の出力を前記デジタル放送信号出力手段による前記復調後のデジタル放送信号の出力に切り替える請求項１乃至３のいずれかに記載の放送受信装置。
【請求項５】
選局可能な放送局を検索し、当該検索された選局可能な放送局をリスト形式にて記憶するリスト作成記憶手段と、
前記リスト作成記憶手段により前記検索された選局可能な放送局のリストが記憶されているか否かを判定するリスト記憶判定手段とを有し、
前記第１切替制御手段は、前記リスト記憶判定手段により前記検索された選局可能な放送局のリストが記憶されていないと判定されたときに、前記アナログ放送信号出力手段による前記アナログ放送信号の出力を前記デジタル放送信号出力手段による前記復調後のデジタル放送信号の出力に切り替える請求項１乃至３のいずれかに記載の放送受信装置。
【請求項６】
前記リスト作成記憶手段により前記検索された選局可能な放送局のリストが記憶されてから所定時間経過したか否かを判定する時間経過判定手段を有し、
前記第１切替制御手段は、前記時間経過判定手段により前記検索された選局可能な放送局のリストが記憶されてから前記所定時間経過したと判定されたときに、前記アナログ放送信号出力手段による前記アナログ放送信号の出力を前記デジタル放送信号出力手段による前記復調後のデジタル放送信号の出力に切り替える請求項５に記載の放送受信装置。
【請求項７】
前記リスト作成記憶手段により前記検索された選局可能な放送局のリストが記憶された位置を記憶するリスト記憶位置記憶手段と、
前記リスト記憶位置記憶手段により記憶された位置から所定範囲外に移動したか否かを判定する移動判定手段とを有し、
前記第１切替制御手段は、前記移動判定手段により前記検索された選局可能な放送局のリストが記憶された位置から所定範囲外に移動したと判定されたときに、前記アナログ放送信号出力手段による前記アナログ放送信号の出力を前記デジタル放送信号出力手段による前記復調後のデジタル放送信号の出力に切り替える請求項５または６に記載の放送受信装置。
【請求項８】
放送局から同一周波数にて伝送されるアナログ放送及びデジタル放送を受信する放送受信装置における放送受信方法であって、
前記放送局から伝送される前記アナログ放送のアナログ放送信号を出力するアナログ放送信号出力ステップと、
前記放送局から伝送される前記デジタル放送のデジタル放送信号を復調し出力するデジタル放送信号出力ステップと、
前記アナログ放送信号に対応する前記デジタル放送信号の復調が完了したときに、前記アナログ放送信号出力手段による前記アナログ放送信号の出力を前記デジタル放送信号出力手段による当該アナログ放送信号に対応する前記復調されたデジタル放送信号の出力に切り替える第１出力切替ステップと、
前記第１出力切替制御ステップによる前記アナログ放送信号の出力を前記復調したデジタル放送信号の出力に切り替えた際に、当該デジタル放送信号を放送する周波数以外の周波数にて選局可能な放送局を探索する放送局探索制御ステップとを有する放送受信方法。
【発明の詳細な説明】
【技術分野】
【０００１】
本発明は、放送局から同一周波数にて伝送されるアナログ放送によるアナログ放送信号及びデジタル放送によるデジタル放送信号を受信する放送受信装置及び放送受信方法に関する。
【背景技術】
【０００２】
従来、特許文献１に記載の受信装置が知られている。この受信装置では、所望の視聴デジタルチャンネルをデジタル受信用選局回路で選択し、デジタル復調回路で復調、復号して所望の番組を視聴しているときに、アナログ受信用選局回路が制御回路によって制御され、隣接する送信局からの送信チャンネルを順に選局するチャンネルスキャンがされ、チャンネルの受信強度を検出するようになっている。これにより、視聴デジタルチャンネルの受信強度が低下して視聴チャンネルを変更する必要がある場合に、スキャンしたチャンネルのうち、受信強度が大きく増加しているチャンネルを視聴チャンネルに切り替えることができる。
【先行技術文献】
【特許文献】
【０００３】
【特許文献１】特開２００６−７４８２７号公報
【発明の概要】
【発明が解決しようとする課題】
【０００４】
しかしながら、特許文献１に記載の受信装置は、デジタル復調回路を介してデジタルチャンネル（デジタル放送）を聴取しているときに、アナログ受信用選局回路により、いわゆるバックグラウンド処理を行うため、デジタル放送及びアナログ放送それぞれの放送を受信するための受信部（チューナ）を必要とし、例えば、１つのチューナでこのような処理をおこなうことはできない。また、１つのチューナのみを備えている受信装置（放送受信装置）では、バックグラウンド処理が行えないため、現在聴取しているデジタルチャンネル（デジタル放送）の受信ができなくなってから、選局可能な放送局を探索するので、放送を受信できない時間が発生する。
【０００５】
本発明は、このような事情に鑑みてなされたもので、１つのチューナのみを備える状態であっても、デジタル放送を聴取しつつ、選局可能な放送局の探索ができる放送受信装置及び放送受信方法を提供するものである。
【課題を解決するための手段】
【０００６】
本発明に係る放送受信装置は、放送局から同一周波数にて伝送されるアナログ放送及びデジタル放送を受信する放送受信装置であって、前記放送局から伝送される前記アナログ放送のアナログ放送信号を出力するアナログ放送信号出力手段と、前記放送局から伝送される前記デジタル放送のデジタル放送信号を復調し出力するデジタル放送信号出力手段と、前記アナログ放送信号に対応する前記デジタル放送信号の復調が完了したときに、前記アナログ放送信号出力手段による前記アナログ放送信号の出力を前記デジタル放送信号出力手段による当該アナログ放送信号に対応する前記復調されたデジタル放送信号の出力に切り替える第１出力切替手段と、前記第１出力切替制御手段による前記アナログ放送信号の出力を前記復調したデジタル放送信号の出力に切り替えた際に、当該デジタル放送信号を放送する周波数以外の周波数にて選局可能な放送局を探索する放送局探索制御手段とを有する構成となる。
【０００７】
このような構成によれば、選局可能な放送局から同一周波数にて伝送されるアナログ放送信号が出力されている状態で、同一放送局から同一周波数にて伝送される当該アナログ放送信号に対応するデジタル放送信号の復調が完了したときに、アナログ放送信号の出力に代えて復調後のデジタル放送信号を出力し、放送信号がアナログ放送信号から復調後のデジタル放送信号に切り換えられた際に、当該デジタル放送信号を放送する周波数以外の周波数にて選局可能な放送局を探索することができる。
【０００８】
本発明に係る放送受信装置において、前記デジタル放送信号出力手段は、前記復調後の前記デジタル放送信号を記憶する一時記憶手段を有し、前記一時記憶手段に記憶された前記復調後のデジタル放送信号の記憶量が所定量以下であるか否かを判定するデジタル放送信号記憶量判定手段と、前記デジタル放送信号記憶量判定手段により、前記一時記憶された前記復調後のデジタル放送信号の記録量が所定量以下であると判定されたときに、前記放送局探索制御手段による前記選局可能な放送局の探索を停止させる停止制御手段とを有する構成とすることができる。
【０００９】
このような構成によれば、復調後のデジタル放送信号が記憶され、記憶された復調後のデジタル放送信号が出力されるに従って当該デジタル放送信号の記憶量が所定量以下になったときに、選局可能な放送局の探索を停止させるので、選局可能な放送局の探索により放送局からの放送を聴取できない状態になることを防止することが可能となる。
【００１０】
本発明に係る放送受信装置は、前記停止制御手段により、前記選局可能な放送局の探索を停止させられた後、前記デジタル放送信号出力手段による前記復調後のデジタル放送信号の出力を前記アナログ放送信号出力手段による当該デジタル放送信号に対応する前記アナログ放送信号の出力に切り替える第２出力切替制御手段を有する構成とすることができる。
【００１１】
このような構成によれば、選局可能な放送局の探索を停止させられた後、復調後のデジタル放送信号の出力を当該デジタル放送信号に対応するアナログ放送信号の出力に切り替えるので、継続した放送局からの放送の聴取が可能となる。
【００１２】
本発明に係る放送受信装置は、前記選局可能な放送局から同一周波数にて伝送されるアナログ放送信号及びデジタル放送信号の少なくとも一方の受信感度が所定の受信感度以下であるか否かを判定する受信感度判定手段を有し、前記第１切替制御手段は、前記受信感度判定手段により前記アナログ放送信号及び前記デジタル放送信号の少なくとも一方の受信感度が所定の受信感度以下であると判定されたときに、前記アナログ放送信号出力手段による前記アナログ放送信号の出力を前記デジタル放送信号出力手段による前記復調後のデジタル放送信号の出力に切り替える構成とすることができる。
【００１３】
このような構成によれば、選局可能な放送局から同一周波数にて伝送されるアナログ放送信号及びデジタル放送信号の少なくとも一方の受信感度が所定感度以下になったときに、アナログ放送信号の出力を復調後のデジタル放送信号の出力に切り替えるので、アナログ放送信号及びデジタル放送信号の少なくとも一方の受信感度が所定感度以下のときにのみデジタル放送信号を放送する周波数以外の周波数にて選局可能な放送局を探索させることが可能となり、また、受信感度が所定感度以上のときには、安定したデジタル放送信号に基づく放送を聴取することが可能となる。
【００１４】
本発明に係る放送受信装置は、選局可能な放送局を検索し、当該検索された選局可能な放送局をリスト形式にて記憶するリスト作成記憶手段と、前記リスト作成記憶手段により前記検索された選局可能な放送局のリストが記憶されているか否かを判定するリスト記憶判定手段とを有し、前記第１切替制御手段は、前記リスト記憶判定手段により前記検索された選局可能な放送局のリストが記憶されていないと判定されたときに、前記アナログ放送信号出力手段による前記アナログ放送信号の出力を前記デジタル放送信号出力手段による前記復調後のデジタル放送信号の出力に切り替える構成とすることができる。
【００１５】
このような構成によれば、検索された選局可能な放送局のリストが記憶されていないときに、アナログ放送信号の出力を復調後のデジタル放送信号の出力に切り替えるので、当該リストがないときにのみデジタル放送信号を放送する周波数以外の周波数にて選局可能な放送局を探索させることが可能となり、また、選局可能な放送局リストがある際には、当該放送局リストに基づいて安定したデジタル放送信号に基づく放送を聴取することが可能となる。
【００１６】
本発明に係る放送受信装置は、前記リスト作成記憶手段により前記検索された選局可能な放送局のリストが記憶されてから所定時間経過したか否かを判定する時間経過判定手段を有し、前記第１切替制御手段は、前記時間経過判定手段により前記検索された選局可能な放送局のリストが記憶されてから前記所定時間経過したと判定されたときに、前記アナログ放送信号出力手段による前記アナログ放送信号の出力を前記デジタル放送信号出力手段による前記復調後のデジタル放送信号の出力に切り替える構成とすることができる。
【００１７】
このような構成によれば、検索された選局可能な放送局のリストが記憶されてから所定時間経過したときに、アナログ放送信号の出力を復調後のデジタル放送信号の出力に切り替えるので、当該リストが記憶されてから所定時間経過したときにのみデジタル放送信号を放送する周波数以外の周波数にて選局可能な放送局を探索させることが可能となり、また、選局可能な放送局リストが記憶されてから所定時間内であれば当該リストに基づいて安定したデジタル放送信号に基づく放送を聴取することが可能となる。
【００１８】
本発明に係る放送受信装置は、前記リスト作成記憶手段により前記検索された選局可能な放送局のリストが記憶された位置を記憶するリスト記憶位置記憶手段と、前記リスト記憶位置記憶手段により記憶された位置から所定範囲外に移動したか否かを判定する移動判定手段とを有し、前記第１切替制御手段は、前記移動判定手段により前記検索された選局可能な放送局のリストが記憶された位置から所定範囲外に移動したと判定されたときに、前記アナログ放送信号出力手段による前記アナログ放送信号の出力を前記デジタル放送信号出力手段による前記復調後のデジタル放送信号の出力に切り替える構成とすることができる。
【００１９】
このような構成によれば、検索された選局可能な放送局のリストが記憶された位置から所定範囲外に移動したときに、アナログ放送信号の出力を復調後のデジタル放送信号の出力に切り替えるので、当該リストが記憶された位置から所定範囲外に移動したときにのみデジタル放送信号を放送する周波数以外の周波数にて選局可能な放送局を探索させることが可能となり、また、選局可能な放送局リストが記憶された位置から所定範囲内にいる際には、当該放送局リストに基づいて安定したデジタル放送信号に基づく放送を聴取することが可能となる。
【００２０】
本発明に係る放送受信方法は、放送局から同一周波数にて伝送されるアナログ放送及びデジタル放送を受信する放送受信装置における放送受信方法であって、前記放送局から伝送される前記アナログ放送のアナログ放送信号を出力するアナログ放送信号出力ステップと、前記放送局から伝送される前記デジタル放送のデジタル放送信号を復調し出力するデジタル放送信号出力ステップと、前記アナログ放送信号に対応する前記デジタル放送信号の復調が完了したときに、前記アナログ放送信号出力手段による前記アナログ放送信号の出力を前記デジタル放送信号出力手段による当該アナログ放送信号に対応する前記復調されたデジタル放送信号の出力に切り替える第１出力切替ステップと、前記第１出力切替制御ステップによる前記アナログ放送信号の出力を前記復調したデジタル放送信号の出力に切り替えた際に、当該デジタル放送信号を放送する周波数以外の周波数にて選局可能な放送局を探索する放送局探索制御ステップとを有する構成となる。
【００２１】
このような構成によれば、選局可能な放送局から同一周波数にて伝送されるアナログ放送信号が出力されている状態で、同一放送局から同一周波数にて伝送される当該アナログ放送信号に対応するデジタル放送信号の復調が完了したときに、アナログ放送信号の出力に代えて復調後のデジタル放送信号を出力し、放送信号がアナログ放送信号から復調後のデジタル放送信号に切り換えられた際に、当該デジタル放送信号を放送する周波数以外の周波数にて選局可能な放送局を探索することができる。
【発明の効果】
【００２２】
本発明に係る放送受信装置及び放送受信方法によれば、選局可能な放送局から同一周波数にて伝送されるアナログ放送信号が出力されている状態で、同一放送局から同一周波数にて伝送される当該アナログ放送信号に対応するデジタル放送信号の復調が完了したときに、アナログ放送信号の出力に代えて復調後のデジタル放送信号を出力し、放送信号がアナログ放送信号から復調後のデジタル放送信号に切り換えられた際に、当該デジタル放送信号を放送する周波数以外の周波数にて選局可能な放送局を探索するので、１つのチューナのみを備える状態であっても、デジタル放送を聴取しつつ、選局可能な放送局の探索が可能となる。
【図面の簡単な説明】
【００２３】
【図１】本発明の実施の形態に係る放送受信装置の構成を示すブロック図である。
【図２】図１において受信する放送局からの放送信号を模式的に表した図である。
【図３】図１に示す制御ユニットによる放送受信処理の手順を示すフローチャートである。
【図４】図１に示す制御ユニットによるバックグラウンド処理を模式的に表した図である。
【図５】図１に示す表示ユニットに選局可能な放送局が表示された一例を示す図である。
【発明を実施するための形態】
【００２４】
本発明の実施の形態について図面を用いて説明する。
【００２５】
本発明の実施の一形態に係る放送受信装置は、図１に示すように構成される。
【００２６】
この放送受信装置１００は、放送局から同一周波数にて伝送されるアナログ放送及びデジタル放送を受信することができるようになっている。このアナログ放送によるアナログ放送信号とデジタル放送によるデジタル放送信号は、同一の搬送周波数にて同時に伝送される、いわゆるハイブリット方式にて伝送されるようになっている。
【００２７】
図１において、放送受信装置１００は、放送局から同一周波数にて伝送されるアナログ放送信号及びデジタル放送信号を受信するチューナ１１を備えている。チューナ１１には復調回路１２が接続されており、チューナ１１により受信したアナログ放送信号及びデジタル放送信号が復調回路１２で復調されて、実質的な放送内容を表す受信信号が生成される。復調回路１２に接続されるアナログ放送処理ユニット１３（アナログ放送信号出力手段）は、復調回路１２から放送内容を表す受信信号を取得し、取得した受信信号のうちアナログ放送信号に基づく受信信号を処理することにより音声信号を生成して、ＤＳＰ１５へと出力する。また、アナログ放送処理ユニット１３は、復調回路から取得した受信信号のうちデジタル放送信号に基づく受信信号をデジタル放送処理ユニット１４（デジタル放送信号出力手段）に出力する。デジタル放送処理ユニット１４は、アナログ放送処理ユニット１３から取得したデジタル放送信号に基づく受信信号をさらに復調、復号し、音声信号を生成し、当該音声信号をＤＳＰ１５へと出力する。
【００２８】
ＤＳＰ１５は、制御ユニット１０の制御のもと、アナログ放送処理ユニット１３から出力された音声信号及びデジタル放送処理ユニット１４から出力された音声信号のいずれかを出力回路１６へ出力する。出力回路１６は、アナログ放送処理ユニット１３及びデジタル放送ユニット１４からの音声信号に対して、増幅などの処理を施し、その処理された音声信号に従ってスピーカ１７を駆動する。これにより、スピーカ１７から音声信号に基づいた音が出力される。
【００２９】
また、放送受信装置１００は、前述したチューナ１１、アナログ放送処理ユニット１３、デジタル放送処理ユニット１４、及びＤＳＰ１５を制御する制御ユニット１０を備えている。制御ユニット１０には、ユーザの操作に基づいた操作情報を出力する操作ユニット１８と、チューナ１１を介して取得した選局可能な放送局及び放送局にて放送される放送番組に関する情報が表示される表示ユニット１９が接続されている。制御ユニット１０は、操作ユニット１８での操作に従って種々の制御処理を実行する。チューナ１１、アナログ放送処理ユニット１３、デジタル放送処理ユニット１４、及びＤＳＰ１５に対する制御ユニット１０の制御により、アナログ放送及びデジタル放送の受信、音声出力、及び後述するバックグラウンド処理がなされる。
【００３０】
図２は、アナログ放送によるアナログ放送信号とデジタル放送によるデジタル放送信号とが同一の搬送周波数にて同時に伝送されるいわゆるハイブリット方式で伝送されるアナログ放送信号及びデジタル放送信号を模式的に示した図である。
【００３１】
図２において、アナログ放送信号は、所定の放送局から例えば、アナログ放送信号Ａ０〜アナログ放送信号Ａ６が連続して伝送される。同じく、デジタル放送信号は、アナログ放送信号Ａ０〜Ａ６を送信する放送局と同一の放送局から、デジタル放送信号Ｄ１〜Ｄ７が連続して伝送される。また、デジタル放送信号Ｄ１とアナログ放送信号Ａ１とは、対応する関係にあり、その放送信号に基づいて表される内容は同一のものとなっている。同じく、デジタル放送信号Ｄ２〜Ｄ６とアナログ放送信号Ａ２〜Ａ６とがそれぞれ対応し、その放送信号に基づいて表される内容も同じである。また、デジタル放送信号Ｄ１〜Ｄ７は、アナログ放送信号Ａ１〜Ａ６に比較して一段階事前に放送局から送信されるようになっている。すなわち、デジタル放送は、デジタル放送処理ユニット１４が内蔵する不図示のバッファ（一時記憶手段）に一時的にデジタル放送信号を記憶し、そのバッファリング（記憶）された音声出力がなされるので、デジタル放送信号がアナログ放送信号に対して時間差（例えば、デジタル放送信号がアナログ放送信号より約５秒先に送信されている等）をもって放送されている。
【００３２】
制御ユニット１０の制御のもと、図３に示す手順に従って、放送局からハイブリット方式で伝送されるアナログ放送信号及びデジタル放送信号の受信制御処理がなされる。
【００３３】
図３において、制御ユニット１０の制御のもと、チューナ１１にて、ある同調周波数の放送局の探索がなされ（Ｓ１１）、同一の放送局からハイブリット方式で伝送されるアナログ放送信号及びデジタル放送信号を受信すると（Ｓ１１でＹＥＳ）、受信した放送局が選局される（Ｓ１２）。そして、制御ユニット１０は、前述したように、選局された放送局から伝送されるアナログ放送信号及びデジタル放送信号を復調回路１２により復調させた受信信号をアナログ放送処理ユニット１３及びデジタル放送処理ユニット１４により音声信号に生成させ、生成された音声信号がＤＳＰ１５及び出力回路１６を介してスピーカ１７から音声として出力させる（Ｓ１３）。なお、スピーカ１７から出力される音声は、原則的にデジタル放送信号に基づく音声がアナログ放送信号に基づく音声より品質が高いので、デジタル放送信号に基づいた音声が出力される。
【００３４】
そして、制御ユニット１０は、バックグラウンドシークを実施する条件を充たしているか否かを判定する（Ｓ１４）。具体的には、現在チューナ１１により受信されている放送局からのアナログ放送信号及びデジタル放送信号の受信感度が所定の受信感度以下であるか否かを監視する（Ｓ１４：受信感度判定手段）。これにより、現在チューナ１１により受信されている放送局からのアナログ放送信号及びデジタル放送信号の受信感度が良好でない場合、制御ユニット１０は、バックグラウンドシークを実施する条件を充たしていると判定し（Ｓ１４でＹＥＳ）、バックグラウンドシーク処理を行う（Ｓ１５：放送局探索制御手段）。
【００３５】
なお、バックグラウンドシークを実施する条件として、例えば、放送受信装置１００を起動した時点で選局可能な放送局がリスト形式で記憶されているか否か（選局可能な放送局リストが記憶されているか否か）を判定するようにしてもよい（Ｓ１４：リスト記憶判定手段）。これにより、選局可能な放送局リストが選局可能な放送局リストが記憶されていないと判定された場合、制御ユニット１０は、バックグラウンドシークを実施する条件を充たしていると判定し（Ｓ１４でＹＥＳ）、バックグラウンドシーク処理を行う（Ｓ１５）。
【００３６】
さらに、バックグラウンドシークを実行する条件として、例えば、選局可能な放送局リストが記憶されてから所定時間経過したか否かを判定するようにしてもよいし（Ｓ１４：時間経過判定手段）、選局可能な放送局リストが記憶された位置から所定範囲外に移動したか否かを判定するようにしてもよい（Ｓ１４：移動判定手段）。これにより、選局可能な放送局リストが記憶されてから所定時間経過した場合、若しくは、選局可能な放送局リストが記憶された位置から所定範囲外に移動した場合、制御ユニット１０は、バックグラウンドシークを実施する条件を充たしていると判定し（Ｓ１４でＹＥＳ）、バックグラウンドシーク処理を行う（Ｓ１５）。
【００３７】
ここで、放送局リストが記憶された位置とは、放送局リストの作成が完了した時点で放送受信装置１００が搭載されている車両の位置を意味するものである。車両の位置に関する情報は、当該車両に装着されたナビゲーション装置のＧＰＳ受信機、自立航法センサー等の自車位置特定装置から取得可能となっている。リストが記憶された位置から所定範囲外は、当該リストが作成された行政区画（県、市、町、村）を基準として、一つの行政区画から他の行政区画に車両が移動した場合を目安としている。
【００３８】
図４は、バックグラウンドシーク処理を模式的に表した図である。図４を用いて、制御ユニット１０によるバックグラウンドシーク処理について以下に詳しく説明する。
【００３９】
図４において、横軸は放送時間軸を表している。縦軸の上部には、ステップＳ１２において選局された放送局から放送されるアナログ放送信号Ａ０〜Ａ６、及びデジタル放送信号Ｄ１〜Ｄ７が表示されている。その下部には、アナログ放送処理ユニット１３から出力されるアナログ放送信号に基づく音声信号と、デジタル放送処理ユニット１４から出力されるデジタル放送信号及びスピーカ１７から音声出力される音声信号の基になった放送信号（例えば、アナログ放送信号Ａ０等）が表示されている。
【００４０】
まず、制御ユニット１０は、チューナ１１によりアナログ放送信号Ａ０及びデジタル放送信号Ｄ１を受信すると、アナログ放送信号Ａ０を復調回路１２、アナログ放送処理ユニット１３、ＤＳＰ１５、及び出力回路１６を介してスピーカ１７からアナログ放送信号Ａ０に基づく音声を出力する。それと共に、制御ユニット１０は、デジタル放送信号Ｄ１を復調回路１２及びアナログ放送処理ユニット１３からの受信信号を取得し、放送処理ユニット１４のバッファに一時的に記憶させる。そして、アナログ放送信号Ａ１に対応するデジタル放送信号Ｄ１の復調及びバッファへの記憶が完了すると、制御ユニット１０は、ＤＳＰ１５に対してアナログ放送信号Ａ１に基づく音声信号に変えて、デジタル放送信号Ｄ１に基づく音声信号を出力回路１６に出力させ、スピーカ１７からデジタル放送信号Ｄ１に基づく音声信号を音声として出力させるための信号であるブレンド信号を送信する（第１出力切替手段）。
【００４１】
これにより、アナログ放送信号Ａ０に基づく音声信号がスピーカ１７から出力された後、デジタル放送信号Ｄ１に基づく音声信号がスピーカ１７から出力される。このデジタル放送信号Ｄ１に基づく音声信号は、バッファに記憶された音声信号を出力していることから、チューナ１１を介して放送信号を受信する必要がない。すなわち、デジタル放送信号Ｄ１に基づく音声がスピーカ１７から出力されているときには、放送信号を受信しなくても音声出力が可能なため、チューナ１１によるバックグラウンドシークを行うことが可能である。よって、制御ユニット１０は、デジタル放送信号Ｄ１に基づく音声がスピーカ１７から出力している間の所定期間（例えば、５秒間）、チューナ１１を制御し、現在受信される放送局の周波数以外の周波数にて選局可能な放送局の探索をさせる（放送局探索制御手段）。
【００４２】
そして、制御ユニット１０は、デジタル放送処理ユニット１４のバッファに記憶されたデジタル放送信号Ｄ１に基づく音声信号の記憶量が所定量以下であるかを判定し（デジタル放送信号記憶量判定手段）、デジタル放送処理ユニット１４のバッファに記憶されたデジタル放送信号Ｄ１に基づく音声信号の記憶量が所定量以下であると判定されると、チューナ１１による選局可能な放送局の探索を停止させるとともに（停止制御手段）、ＤＳＰ１５に対し、デジタル放送ユニット１４から出力されるデジタル放送信号Ｄ１に基づく音声信号の出力をアナログ放送処理ユニット１３から出力されるアナログ放送信号Ａ２に基づく音声信号の出力に切り替えさせるための信号であるブレンド信号を送信する（第２出力切替手段）。そして、制御ユニット１０は、アナログ放送信号Ａ２に基づく音声信号をスピーカ１７から音声出力しつつ、チューナ１１によりアナログ放送信号Ａ２とともに受信するデジタル放送信号Ｄ３をデジタル放送処理ユニット１４のバッファに一時的に記憶させ、前述したようなバックグラウンドシーク処理を行う。
【００４３】
図３に戻って、制御ユニット１０は、前述したような処理を繰り返すことにより、バックグラウンド制御処理を行い、現在チューナ１１により選局可能な放送局を探索し、探索した放送局を例えば、図５のように、表示ユニット１９に表示させる（Ｓ１６）。そして、制御ユニット１０は、表示ユニット１９の表示画面上に構成されるタッチパネル式の操作ユニット１８のユーザの操作により、受信すべき放送局の選択がなされるのを監視する（Ｓ１７）。そして、ユーザによる操作ユニット１８の操作がなされ受信すべき放送局の選局がなされると（Ｓ１７でＹＥＳ）、制御ユニット１０は、ステップＳ１３に戻り、前述したステップＳ１３〜Ｓ１７までの処理を繰り返す。
【００４４】
以上のように、本発明の一実施の形態に係る放送受信装置１００は、チューナ１１により選局可能な放送局から同一周波数にて伝送されるアナログ放送信号Ａ０〜Ａ６及びデジタル放送信号Ｄ１〜Ｄ７が出力されている状態で、同一放送局から同一周波数にて伝送される当該アナログ放送信号Ａ１に対応するデジタル放送信号Ｄ１の復調及びデジタル放送処理ユニット１４のバッファへの記憶が完了したときに、制御ユニット１０がＤＳＰ１５にブレンド信号を送信することにより、アナログ放送信号Ａ０に基づく音声信号の出力に代えて復調後のデジタル放送信号Ｄ１に基づく音声信号を出力させ、アナログ放送信号Ａ１から復調後のデジタル放送信号Ｄ１に切り換えられた際に、当該デジタル放送信号Ｄ１を放送する周波数以外の周波数にて選局可能な放送局を探索するので、１つのチューナ１１のみを備える状態であっても、デジタル放送を聴取しつつ、チューナ１１による選局可能な放送局の探索が可能となる。
【００４５】
また、放送受信装置１００において、制御ユニット１０は、デジタル放送処理ユニット１４のバッファに記憶されたデジタル放送信号Ｄ１に基づく音声信号の記憶量が所定量以下であるかを判定し、デジタル放送処理ユニット１４のバッファに記憶されたデジタル放送信号Ｄ１に基づく音声信号の記憶量が所定量以下であると判定されると、チューナ１１による選局可能な放送局の探索を停止させるとともに、ＤＳＰ１５にブレンド信号を送信することで、デジタル放送ユニット１４から出力されるデジタル放送信号Ｄ１に基づく音声信号の出力をアナログ放送処理ユニット１３から出力されるアナログ放送信号Ａ２に基づく音声信号の出力に切り替えるので、バックグラウンド処理を行いながらも、継続した放送局からの放送の聴取が可能となる。
【００４６】
なお、本発明の一形態に係る放送受信装置は、例えば、車両に搭載されるようにしてもよいし、携帯端末に内蔵されるようにしてもよい。
【産業上の利用可能性】
【００４７】
以上、説明したように、本発明に係る放送受信装置及び放送受信方法は、１つのチューナのみを備える状態であっても、デジタル放送を聴取しつつ、選局可能な放送局の探索ができるという効果を有し、放送局から同一周波数にて伝送されるアナログ放送によるアナログ放送信号及びデジタル放送によるデジタル放送信号を受信する放送受信装置及び放送受信方法として有用である。
【符号の説明】
【００４８】
１０  制御ユニット
１１  チューナ
１２  復調回路
１３  アナログ放送処理ユニット
１４  デジタル放送処理ユニット
１５  ＤＳＰ
１６  出力回路
１７  スピーカ
１８  操作ユニット
１９  表示ユニット
１００  放送受信装置
【図１】
2014131097.tif 000003
【図２】
2014131097.tif 000004
【図３】
2014131097.tif 000005
【図４】
2014131097.tif 000006
【図５】
2014131097.tif 000007